(57)【要約】【課題】容器本体と化粧皿との間に化粧料等が溜まらず、しかも、小さな力で確実に取り外すことができ、顧客の購買意欲を減じさせることのない化粧料容器を提供する。【解決手段】上面に化粧皿収容凹部３ａが形成されこの化粧皿収容凹部３ａに化粧皿４が収容される容器本体１と、この容器本体１を蓋する蓋体２とを備え、上記化粧皿収容凹部３ａの相対向する両側壁のうちの一側壁に切欠き凹部２３が形成され、この切欠き凹部２３の内部もしくは近傍部に可撓板２４が上記切欠き凹部２３内に撓みうる状態で立設され、上記両側壁のうちの他側壁に係合凹部２７ａが形成され、上記一側壁に対応する上記化粧皿４の上端縁の部分から、上記可撓板２４の上面に載置される後側鍔部２９ａが突設され、上記係合凹部２７ａに対応する上記化粧皿４の部分から、上記係合凹部２７ａに着脱自在に係合する前側鍔部２９ｂが突設されている。【選択図】図２
2007190093.tif 000002
【特許請求の範囲】
【請求項１】
上面に化粧皿収容部が形成されこの化粧皿収容部に化粧皿が収容される容器本体と、この容器本体を蓋する蓋体とを備え、上記化粧皿収容部の相対向する両側壁のうちの一側壁に凹部が形成され、この凹部の内部もしくは近傍部に可撓板が上記凹部内に撓みうる状態で立設され、上記両側壁のうちの他側壁に係合部が形成され、上記一側壁に対応する上記化粧皿の上端縁の部分から、上記可撓板の上面に載置される鍔部が突設され、上記係合部に対応する上記化粧皿の部分から、上記係合部に着脱自在に係合する被係合部が突設されていることを特徴とする化粧料容器。
【請求項２】
上記被係合部が、上記他側壁に対応する上記化粧皿の上端縁の部分から突設された鍔部である請求項１記載の化粧料容器。
【請求項３】
上記化粧皿の下面と化粧皿収容部の底面との間に隙間が設けられている請求項１または２記載の化粧料容器。
【発明の詳細な説明】
【技術分野】
【０００１】
本発明は、化粧料容器に関するものである。
【背景技術】
【０００２】
従来から、ファンデーション等の化粧料を収容して携帯する化粧料容器として、図６に示すような化粧料容器が出回っている。この化粧料容器は、上面に化粧皿収納部５１ａと小物入れ５１ｂとが左右並設状に形成された容器本体５１と、この容器本体５１の上面を蓋する蓋体５２とを備えており、上記化粧皿収納部５１ａに、内部に化粧料５４が充填された化粧皿５３が収納され、小物入れ５１ｂにパフ等（図示せず）が収納されている。
【０００３】
上記化粧皿５３には、その下端部外周面の全周にわたって係合溝５３ａが形成されている。また、上記容器本体５１には、その化粧皿収納部５１ａと小物入れ５１ｂとを隔成する隔壁５５の左側面（上記化粧皿収納部５１ａ側の内面）に、上記係合溝５３ａに係合可能な前後一対の第１係合突起５５ａが突設されており、上記化粧皿収納部５１ａの左側面（上記隔壁５５に対向する上記化粧皿収納部５１ａの内面）には、上記両第１係合突起５５ａに対向して前後一対の爪５６が形成されている。
【０００４】
上記両爪５６はそれぞれ、上記化粧皿収納部５１ａの左側面に上下方向に延びる前後一対の縦スリット５６ａを形成するとともに、これら両縦スリット５６ａで挟まれた部分の下端部を上記化粧皿収納部５１ａの底面から分離することにより、上記両縦スリット５６ａで挟まれた部分をその上端部を中心に可撓可能としたものであり、上記両爪５６の下端部に、上記係合溝５３ａに係合可能な第２係合突起５７が突設されている（例えば、特許文献１参照）。
【０００５】
そして、上記容器本体５１の化粧皿収納部５１ａに化粧皿５３を装着する際には、化粧皿５３を左右方向に斜めにした状態でその下端部を化粧皿収納部５１ａ内に挿入して上記両爪５６の第２係合突起５７に当接させ、さらに化粧皿５３の下端部を奥側に押し込みながら、化粧皿５３の係合溝５３ａを上記両爪５６の第２係合突起５７に係合させるとともに、化粧皿５３を水平にしてその係合溝５３ａを上記隔壁５５の両第１係合突起５５ａに係合させるようにしている（図７参照）。
【特許文献１】特開平９−４７３１９号公報
【発明の開示】
【発明が解決しようとする課題】
【０００６】
しかしながら、上記の化粧料容器では、上記装着を行うために上記容器本体５１の化粧皿収納部５１ａの左右幅より化粧皿５３の左右幅が短く形成されており、これにより、上記装着状態で上記両爪５６と化粧皿５３との間に隙間が生じ（図７参照）、この隙間に化粧料５４や塵芥等が溜まって付着し、その周囲が汚染されたり、非衛生になったりする。しかも、上記隙間に侵入した化粧料５４や塵芥等が化粧皿５３と両爪５６との間や係合溝５３ａと第２係合突起５７との係合部に付着して固まると、上記化粧皿収納部５１ａから化粧皿５３を取り外す際に両爪５６が撓みにくくなり、大きな力で取り外さないと、取り外せないという事態が生じる。しかも、上記隙間が目立ち、購買時に顧客の購買意欲を減じさせるという問題もある。
【０００７】
本発明は、このような事情に鑑みなされたもので、容器本体と化粧皿との間に化粧料等が溜まらず、しかも、小さな力で確実に取り外すことができ、顧客の購買意欲を減じさせることのない化粧料容器の提供をその目的とする。
【課題を解決するための手段】
【０００８】
上記の目的を達成するため、本発明の化粧料容器は、上面に化粧皿収容部が形成されこの化粧皿収容部に化粧皿が収容される容器本体と、この容器本体を蓋する蓋体とを備え、上記化粧皿収容部の相対向する両側壁のうちの一側壁に凹部が形成され、この凹部の内部もしくは近傍部に可撓板が上記凹部内に撓みうる状態で立設され、上記両側壁のうちの他側壁に係合部が形成され、上記一側壁に対応する上記化粧皿の上端縁の部分から、上記可撓板の上面に載置される鍔部が突設され、上記係合部に対応する上記化粧皿の部分から、上記係合部に着脱自在に係合する被係合部が突設されているという構成をとる。
【発明の効果】
【０００９】
すなわち、本発明の化粧料容器は、上面に化粧皿収容部が形成されこの化粧皿収容部に化粧皿が収容される容器本体と、この容器本体を蓋する蓋体とを備えている。また、上記化粧皿収容部の相対向する両側壁のうちの一側壁に凹部が形成され、この凹部の内部もしくは近傍部に可撓板が上記凹部内に撓みうる状態で立設され、上記両側壁のうちの他側壁に係合部が形成され、上記一側壁に対応する上記化粧皿の上端縁の部分から、上記可撓板の上面に載置される鍔部が突設され、上記係合部に対応する上記化粧皿の部分から、上記係合部に着脱自在に係合する被係合部が突設されている。そして、上記容器本体の化粧皿収容部に化粧皿を収容する場合には、化粧皿を斜めにした状態で、この化粧皿の上端縁から突設された鍔部を上記化粧皿収容部内に挿入し、この鍔部を上記化粧皿収容部の（相対向する両側壁のうちの一側壁に形成された）凹部の内部もしくは近傍部に立設された可撓板上に載置しながら、化粧皿を凹部の奥側に押し込む（このとき、化粧皿で押し込まれた可撓板は上記凹部の奥側に撓む）とともに、化粧皿を水平状態に移行させてその被係合部を上記容器本体の他側壁の係合部に係合させることを行う。この係合状態では、上記容器本体の可撓板と化粧皿との間に形成される隙間は上記鍔部で覆い隠されている。
【００１０】
このように、本発明の化粧料容器では、上記容器本体の化粧皿収容部に化粧皿を収容した状態で、上記容器本体の可撓板と化粧皿との間に形成される隙間を、化粧皿の上端縁から突設された鍔部で覆い隠すことができるため、上記隙間に化粧料や塵芥等が溜まって付着することがなくなり、その周囲が汚染されたり、非衛生になったりすることがない。しかも、上記隙間に侵入した化粧料や塵芥等が上記隙間に付着して固まることもなく、上記化粧皿収容部から化粧皿を取り外す際に、小さな力で確実に取り外すことができる。しかも、上記（可撓板と化粧皿間の）隙間が見えないため、見た目がきれいであり、購買時に顧客の購買意欲が向上する。
【００１１】
上記被係合部が、上記他側壁に対応する上記化粧皿の上端縁の部分から突設された鍔部であると、上記他側壁と化粧皿との当接面を、化粧皿の上端縁から突設された鍔部で覆い隠すことができ、さらに見た目がきれいになる。
【００１２】
上記化粧皿の下面と化粧皿収容部の底面との間に隙間が設けられていると、本発明の化粧料容器を床上等に落下等させて容器本体の底壁を床上等に衝突させてしまっても、上記隙間にある空気層の緩衝作用で化粧皿および化粧料を保護することができ、化粧皿や化粧料が破損したり、損傷したりすることがない。
【発明を実施するための最良の形態】
【００１３】
つぎに、本発明の実施の形態を図面にもとづいて詳しく説明する。ただし、これに限定されるものではない。
【００１４】
図１および図２は本発明の化粧料容器の一実施の形態を示している。これらの図において、１は合成樹脂製の容器本体で、２は上記容器本体１の上面を蓋する合成樹脂製の蓋体で、３は上記容器本体１に収容される合成樹脂製の中枠（この実施の形態では、この中枠３は上記容器本体１の一部を構成している）で、４は内部にファンデーション等の化粧料５が充填された金属製もしくは合成樹脂製の化粧皿である。
【００１５】
上記容器本体１は、平面視略四角形状の皿状体に形成されており、その上面には、上記中枠３を着脱自在に載置，収容する平面視略四角形状の中枠収容凹部１ａ（図２参照）が形成されている。すなわち、上記皿状体を構成する略四角形環状の周側壁１１の内部空間が上記中枠収容凹部１ａに形成されている。また、上記容器本体１には、その（周側壁１１のうちの）前側壁１１ａの左右方向中央部分に、その前面および上面が開口する前側凹部１２が形成されており、この前側凹部１２の奥面に、上記蓋体２の係合爪２ａに着脱自在に係合する係合凸部１２ａが突設されている。また、上記容器本体１には、その（周側壁１１のうちの）後側壁１１ｂの左右方向中央部分に、その後面が開口する後側凹部１３が上下貫通状に形成されており、この後側凹部１３に、上記蓋体２の後端部から垂設される連結部１６が回動自在に収容されている。
【００１６】
上記蓋体２は、上記容器本体１の上面を蓋する平板形状の本体部１５と、この本体部１５の後端部から垂設される連結部１６とからなり、上記本体部１５の前端部から、上記容器本体１の係合凸部１２ａに着脱自在に係合する係合爪２ａが垂下している。図２において、６は上記容器本体１の後側壁１１ｂの左右両側部分と上記蓋体２の連結部１６とを回動自在に連結する連結ピンで、７は上記本体部１５の裏面に貼着された鏡である。
【００１７】
上記中枠３は、略四角形状の枠状体に形成されており、上記容器本体１の中枠収容凹部１ａに着脱自在に収容される平面視略四角形状の周側壁１８と、この周側壁１８の上端開口部（の左右両側部分および後側部分）から外側に突設される平面視略コ字状の突条１９と、上記周側壁１８の下端開口部を閉塞する底壁２０とからなっている。そして、上記突条１９が上記容器本体１の左右両側壁１１ｃおよび後側壁１１ｂ上に載置されている。また、上記周側壁１８の内部空間が、上記底壁２０からその左右方向の全幅にわたって立設された仕切り壁２１により前後に仕切られており、この仕切り壁２１の後側に、上記化粧皿４を収容する化粧皿収容凹部（化粧皿収容部）３ａが形成され、前側に、パフ等の小物（図示せず）を収容する小物収容凹部３ｂが形成されている。
【００１８】
上記周側壁１８のうちの後側壁１８ａは、図３に示すように、その左右方向中央部分が前後貫通状に切欠き形成されており、この切欠き凹部２３が上記容器本体１の後側凹部１３に開口している（図２参照）。また、上記後側壁１８ａには、その上端部の前側面から天井壁２３ａが上記上端部の左右方向の全幅にわたって突設されている。
【００１９】
また、上記天井壁２３ａの下側空間であって、上記切欠き凹部２３の前側位置には、上記底壁２０から可撓板２４が立設されており、後方に（すなわち、上記切欠き凹部２３の内部に）撓みうるようにしている。この可撓板２４には、その上端部の前側面から、上記化粧皿４の後側鍔部２９ａを載置しうる突条２４ａが上記上端部の左右方向の全幅にわたって突設されており、この突条２４ａ（すなわち、可撓板２４の上端部）と上記天井壁２３ａとの間に、上記化粧皿４の後側鍔部２９ａを挿入しうる挿入隙間が設けられている。このような天井壁２３ａと突条２４ａとは、その前端面同士が略面一となるように形成されている。
【００２０】
一方、上記仕切り壁２１の左右方向中央部には、図４に示すように、その上面から手指挿入用凹部２６が前後貫通状に切欠き形成されている。また、上記仕切り壁２１の（手指挿入用凹部２６の）左右両側部分にはそれぞれ、その後側面の上部にその左右方向の全幅にわたって上下一対の突条２７が突設されており、これら上下両突条２７間に形成される係合凹部（係合部）２７ａが、上記挿入隙間に相対向する位置に位置決めされており、かつ、上記係合凹部２７ａに化粧皿４の前側鍔部２９ｂが着脱自在に係合するようにしている。
【００２１】
上記化粧皿４は、略四角形の皿状体に形成されており、その内部に十字状の仕切り壁２８が突設され，この仕切り壁２８で区切られた４つの化粧料収容凹部４ａにそれぞれ、種類の異なった化粧料５が充填されている。また、上記化粧皿４には、その上端部外周面の前後両側部分にその左右方向の全幅にわたって前後一対の鍔部２９ａ，２９ｂが突設されており、後側鍔部２９ａが上記挿入隙間（すなわち、上記可撓板２４の上側の隙間）に挿入され、前側鍔部（被係合部）２９ｂが上記仕切り壁２１の係合凹部２７ａに着脱自在に係合するようにしている。このような（上記仕切り壁２１と可撓板２４とに載置，支受された）化粧皿４と中枠３の底壁２０との間には隙間が設けられている。
【００２２】
上記の構成において、上記容器本体１の中枠収容凹部１ａに収容した中枠３の化粧皿収容凹部３ａに化粧皿４を収容する場合には、まず、上記化粧皿収容凹部３ａ上に化粧皿４を位置決めし（図１参照）、その状態で化粧皿４を下降させながらその後端部を下方に傾けるようにして斜め姿勢にする。ついで、化粧皿４の後側鍔部２９ａを上記挿入隙間に挿入して上記後側鍔部２９ａを可撓板２４の突条２４ａ上に載置するとともに、化粧皿４を奥側に押圧して可撓板２４を奥側に撓ませながら、化粧皿４を水平姿勢に移行させて化粧皿４の前側鍔部２９ｂを仕切り壁２１の係合凹部２７ａに係合させることを行う。これにより、可撓板２４の弾性力で可撓板２４が元の姿勢（直立姿勢）に戻り、上記係合状態が保持される。この状態では、化粧皿４と可撓板２４との間の隙間が上記後側鍔部２９ａで覆われて外部からは見えない。
【００２３】
一方、上記化粧皿収容凹部３ａから化粧皿４を取り出す場合には、上記仕切り壁２１の手指挿入用凹部２６から手指を挿入し、手指で上記化粧皿４の前側鍔部２９ｂを斜め後方に押し上げながら、この前側鍔部２９ｂと仕切り壁２１の係合凹部２７ａとの係合を外すとともに、上記化粧皿４の後側鍔部２９ａを上記挿入隙間から抜き出すことを行う。
【００２４】
上記のように、この実施の形態では、上記化粧皿収容凹部３ａに化粧皿４を収容した状態で、可撓板２４と化粧皿４との間に形成される隙間を上記後側鍔部２９ａで覆い隠すことができるため、上記隙間に化粧料５や塵芥等が溜まって付着することがなくなり、その周囲が汚染されたり、非衛生的になったりすることがない。しかも、上記隙間に侵入した化粧料５や塵芥等が上記隙間に付着して固まることもなく、上記化粧皿収容凹部３ａから化粧皿４を取り外す際に、小さな力で確実に取り外すことができる。しかも、上記隙間が見えないため、見た目がきれいであり、購買時に顧客の購買意欲が向上する。しかも、上記化粧皿４の前側鍔部２９ｂを利用し、上記仕切り壁２１と化粧皿４との当接面をも覆い隠すことができる。しかも、上記化粧皿４と化粧皿収容凹部３ａの底面との間に隙間が設けられているため、上記化粧料容器を床上等に落下等させて容器本体１の底壁を床上等に衝突させてしまっても、上記隙間にある空気層の緩衝作用で化粧皿４や化粧料５を保護することができ、化粧皿４や化粧料５が破損したり、損傷したりすることがない。
【００２５】
図５は本発明の化粧料容器の他の実施の形態を示している。この実施の形態では、上記化粧料容器は、合成樹脂製の容器本体３１と、この容器本体３１の上面を蓋する合成樹脂製の蓋体３２と、それ自体の内部に化粧料収容凹部３３ａが形成されこの化粧料収容凹部３３ａに化粧料３４が充填された金属製もしくは合成樹脂製の化粧皿３３とからなっており、上記実施の形態における中枠３を設けていない。
【００２６】
上記容器本体３１は、平面視略四角形状の皿状体に形成されており、その上面には、化粧皿３３を収容，固定する化粧皿収容凹部３１ａが形成されている。すなわち、上記皿状体を構成する略四角形環状の周側壁４１の内部空間が上記化粧皿収容凹部３１ａに形成されている。
【００２７】
また、上記周側壁４１の後側壁４１ａは、その上端部（後述する切欠き凹部４２の天井壁）４２ａを残した状態でその左右方向の全幅にわたって切欠き形成されており、この切欠き凹部４２内に可撓板４３が立設されている。すなわち、上記容器本体３１の化粧皿収容凹部３１ａの底面から、上記切欠き凹部４２の前半部分に対応する部分に可撓板４３が立設されており、後方に（すなわち、上記切欠き凹部４２の後半部分に）撓みうるようにしている。また、上記可撓板４３には、その上端部の前側面から、上記化粧皿３３の後側鍔部２９ａを載置しうる突条４３ａが上記上端部の左右方向の全幅にわたって突設されており、この突条４３ａ（すなわち、上記可撓板４３の上端部）と切欠き凹部４２の天井壁４２ａとの間に、上記化粧皿４の後側鍔部２９ａを挿入しうる挿入隙間が設けられている。このような天井壁４２ａと突条４３ａとは、その前端面同士が略面一となるように形成されている。
【００２８】
一方、上記周側壁４１の前側壁４１ｂの左右方向中央部には、その上面から手指挿入用凹部２６が前後貫通状に切欠き形成されている（図４参照）。また、上記前側壁４１ｂの（手指挿入用凹部２６の）左右両側部分にはそれぞれ、その後側面の上端部にその左右方向の全幅にわたって上下一対の突条２７が突設されており、これら上下両突条２７間に形成される係合凹部（係合部）２７ａが、上記挿入隙間に相対向する位置に位置決めされており、かつ上記係合凹部２７ａに化粧皿４の前側鍔部２９ｂが着脱自在に係合するようにしている。それ以外の部分は上記実施の形態と同様であり、同様の部分には同じ符号を付している。この実施の形態でも、上記実施の形態と同様の作用・効果を奏する。
【００２９】
なお、上記両実施の形態では、化粧皿４と化粧皿収容凹部３ａ，３１ａとの間に隙間を設けているが、これに限定するものではなく、化粧皿４，３３を化粧皿収容凹部３ａ，３１ａの底面上に載置してもよい。また、図１〜図４に示す実施の形態では、可撓板２４を切欠き凹部２３の近傍部（外部）に設けているが、切欠き凹部２３の内部に設けてもよく、図５に示す実施の形態では、可撓板４３を切欠き凹部４２の内部に設けているが、切欠き凹部４２の近傍部であれば、外部に設けてもよい。
【００３０】
また、図１〜図４に示す実施の形態において、上記容器本体１に中枠３を一体成形してもよい。また、図１〜図４に示す実施の形態では、上記中枠３に化粧皿収容凹部３ａを形成しているが、上記容器本体１および中枠３に化粧皿４収容用の貫通孔を穿設し、この貫通孔に化粧皿４を着脱自在に収容してもよいし、上記化粧皿収容凹部３ａに直接化粧料５を収容してもよい。図５に示す実施の形態についても同様である。
【００３１】
また、図１〜図４に示す実施の形態では、上記中枠３の後側壁１８ａに切欠き凹部２３を設けているが、仕切り壁２１に切欠き凹部２３を設け、後側壁１８ａに手指挿入用凹部２６や上下一対の突条２７，係合凹部２７ａを設けてもよい。また、図５に示す実施の形態において、上記容器本体３１の前側壁４１ｂに切欠き凹部４２を設け、後側壁４１ａに手指挿入用凹部２６や上下一対の突条２７，係合凹部２７ａを設けてもよい。
【図面の簡単な説明】
【００３２】
【図１】本発明の化粧料容器の一実施の形態を示す斜視図である。
【図２】上記化粧料容器の断面図である。
【図３】中枠の要部を示す斜視図である。
【図４】上記中枠の他の要部を示す斜視図である。
【図５】本発明の化粧料容器の他の実施の形態を示す断面図である。
【図６】従来例を示す斜視図である。
【図７】上記従来例の要部を示す断面図である。
【符号の説明】
【００３３】
１  容器本体
２  蓋体
３ａ  化粧皿収容凹部
４  化粧皿
２３  切欠き凹部
２４  可撓板
２７ａ  係合凹部
２９ａ  後側鍔部
２９ｂ  前側鍔部
【図１】
2007190093.tif 000003
【図２】
2007190093.tif 000004
【図３】
2007190093.tif 000005
【図４】
2007190093.tif 000006
【図５】
2007190093.tif 000007
【図６】
2007190093.tif 000008
【図７】
2007190093.tif 000009